(57)【要約】【課題】手摺を確実に支柱に留めることができる手摺ジョイントを提供する。【解決手段】手摺ジョイント１は、支柱５１に設けられ、先端に球状の該表面を有する支持体３と、支持体３と手摺５３の間に介在される手摺受け４とを備え、手摺受け４は、一端が支持体３に方向自在に取り付けられ、他端が手摺５３の一端に嵌合され、断面が半円状の２つの樋状部品６、７と、樋状部品６、７を引き寄せて筒状の手摺受け４にする連結具８とを備え、樋状部品６、７の一端には支持体３の把持部４ａを有し、他端には手摺５３の外周を把持する筒状部４ｂを有し、連結具８を用いて樋状部品６、７間の距離を狭めることによって把持部４ａによって支持体３を挟持し、筒状部４ｂによって手摺５３の一端を固定する。手摺５３の長さを支柱間隔に合わせるだけで、特にねじ穴などを設ける作業なしに確実に支柱に留めることができる。【選択図】図３
0003189870.tif 000002
【実用新案登録請求の範囲】
【請求項１】
手摺の両端を支柱で支持するために前記支柱と手摺との間に用いられる手摺ジョイントにおいて、
前記支柱に設けられ、前記手摺を支持するために先端に球状の外表面を有する支持体と、
前記支持体と前記手摺の一端との間に介在される手摺受けと、を備え、
前記手摺受けは、一端が前記支持体に方向自在に取り付けられ、他端が前記手摺の一端に嵌合されるものであり、断面が半円状の２つの樋状部品と、この２つの樋状部品の縁同士を合わせた状態で、互いの樋状部品を引き寄せて該手摺受けを筒状にする連結具とを備え、
前記２つの樋状部品の各々の一端には、前記支持体の球面に沿うように湾曲した接面を有する把持部を有し、他端には、前記手摺の外周を把持する筒状部を有しており、
前記連結具を用いて前記２つの樋状部品間の距離を狭めることによって、前記把持部により前記支持体を挟持し、かつ、前記筒状部によって前記手摺の一端を固定する、ことを特徴とする手摺ジョイント。
【請求項２】
前記２つの樋状部品の一方には、当該樋状部品の底の部分を貫通する貫通孔が設けられており、他方の樋状部品には、当該樋状部品の底の部分にねじ受け部が設けられており、
前記連結具は、前記貫通孔を通り、前記ねじ受け部にねじ込まれるねじであり、ねじの締め具合に応じて、前記２つの樋状部品間の距離を狭めることを特徴とする請求項１に記載の手摺ジョイント。
【請求項３】
前記支持体の外表面には、ディンプル加工が施されていることを特徴とする請求項１または請求項２に記載の手摺ジョイント。
【考案の詳細な説明】
【技術分野】
【０００１】
本考案は、手摺の両端を支柱で支持するため、支柱と手摺との間に用いられる手摺ジョイントに関する。
【背景技術】
【０００２】
従来、路面上に設置される柵として、等間隔に設けられた複数の支柱と、各支柱間に取り付けた手摺と、で構成されているものが知られている。手摺の両側を支柱で支持するため、支柱と手摺との間には、自在継手の手摺ジョイントが用いられている。手摺ジョイントは、支柱に設けられ、手摺を支持するために先端に球状の外表面を有する支持体と、この支持体に方向自在に取り付けられ、他端が手摺の一端に留めねじで固定される手摺受けと、で構成されている（特許文献１参照）
【先行技術文献】
【特許文献】
【０００３】
【特許文献１】実開昭６０―３１４６０号公報
【考案の概要】
【考案が解決しようとする課題】
【０００４】
特許文献１に記載の自在継手の手摺ジョイントは、隣り合う支柱の設置位置の高さが異なっていても使用可能である。しかし、支柱間隔が、設置場所の状況によって間隔が狭くなった場合、手摺を手摺ジョイントに取り付けるには、手摺を所望の長さに切断するだけでなく、ねじ穴を設ける必要があり、迅速に処理するのが難しかった。
【０００５】
本考案は、従来例の問題を解決するためになされたものであり、手摺を貫通するような留めねじを使わない極めて簡単な構成にもかかわらず、手摺を確実に留めることができる手摺ジョイントを提供することを目的とする。
【課題を解決するための手段】
【０００６】
上記目的を達成するために本考案は、手摺の両端を支柱で支持するために前記支柱と手摺との間に用いられる手摺ジョイントにおいて、前記支柱に設けられ、前記手摺を支持するために先端に球状の外表面を有する支持体と、前記支持体と前記手摺の一端との間に介在される手摺受けと、を備え、前記手摺受けは、一端が前記支持体に方向自在に取り付けられ、他端が前記手摺の一端に嵌合されるものであり、断面が半円状の２つの樋状部品と、この２つの樋状部品の縁同士を合わせた状態で、互いの樋状部品を引き寄せて該手摺受けを筒状にする連結具とを備え、前記２つの樋状部品の各々の一端には、前記支持体の球面に沿うように湾曲した接面を有する把持部を有し、他端には、前記手摺の外周を把持する筒状部を有しており、前記連結具を用いて前記２つの樋状部品間の距離を狭めることによって、前記把持部により前記支持体を挟持し、かつ、前記筒状部によって前記手摺の一端を固定する、ことを特徴とする。
【０００７】
なお、前記２つの樋状部品の一方には、当該樋状部品の底の部分を貫通する貫通孔が設けられており、他方の樋状部品には、当該樋状部品の底の部分にねじ受け部が設けられており、前記連結具は、前記貫通孔を通り、前記ねじ受け部にねじ込まれるねじであり、ねじの締め具合に応じて、前記２つの樋状部品間の距離を狭めることが好ましい。
【０００８】
また、前記支持体の外表面には、ディンプル加工が施されていることが好ましい。
【考案の効果】
【０００９】
本考案によれば、手摺ジョイントを構成する２つの樋状部品の連結具を調節することにより、支持体の球上の外表面を把持し、かつ、手摺の一端を固定することができる。
【図面の簡単な説明】
【００１０】
【図１】（ａ）は本考案の手摺ジョイントを用いた柵の側面図、（ｂ）はこの柵の上面図。
【図２】（ａ）は図１（ａ）において点線で囲んで示す箇所に用いられている手摺ジョイントの垂直断面図、（ｂ）は図１（ｂ）において点線で囲んで示す箇所に用いられている手摺ジョイントの水平断面図。
【図３】図２（ａ）に示した手摺ジョイントの各組み立て部品を示す概略構成図。
【図４】（ａ）は同手摺ジョイントの垂直断面図、（ｂ）は（ａ）のＡ−Ａ線断面図、（ｃ）は（ａ）のＢ−Ｂ線断面図。
【図５】（ａ）は同手摺ジョイントの支持体の正面図、（ｂ）は（ａ）のＣ−Ｃ線断面図、（ｃ）は（ａ）のＤ−Ｄ線断面図、（ｄ）は取り付け用のねじを装着した状態の（ａ）のＤ−Ｄ線断面図、（ｅ）は同支持体の背面図。
【図６】（ａ）は同手摺ジョイントの手摺受けを構成する２つの部品の内、上側にある樋状部品の正面図、（ｂ）は（ａ）のＥ−Ｅ線断面図、（ｃ）は同樋状部品の上面図、（ｄ）は同樋状部品の背面図。
【図７】（ａ）は同手摺ジョイントの手摺受けを構成する２つの部品の内、下側にある樋状部品の正面図、（ｂ）は（ａ）のＦ−Ｆ線断面図、（ｃ）は同樋状部品の底面図、（ｄ）は同樋状部品の背面図。
【考案を実施するための形態】
【００１１】
手摺の両側を支柱で支持するため、支柱と手摺との間に用いられる本考案に係る手摺ジョイントは、前記支柱に設けられ、前記手摺を支持するために先端に球状の外表面を有する支持体と、支持体と手摺の一端との間に取り付けられる手摺受けと、で構成される。手摺受けは、断面が半円状の２つの樋状部品を連結具によって筒状に合わせて固定したものである。この２つの樋状部品は、支持体の球状物を挟み持つ把持部と、手摺の前記一端の部分を挟んで固定する筒状部とを備えていることを特徴とする。筒状部を備えたことにより、手摺の前記一端の部分に固定用のねじ穴を設ける必要がなくなる。手摺に固定用のねじ穴が不要となる結果、例えば、支柱の接地現場において支柱の間隔が短くなった場合に、手摺を切断して短くするだけで取り付け固定することができる。
【００１２】
図１（ａ）に示すように、路面６０上に設置される柵５０は、等間隔に設けられた複数の支柱５１、５２と、例えば、支柱５１、５２の間に３本取り付けた複数の手摺５３、５４、５５と、で構成されている。本実施形態において、柵５０は、左に曲がっている登りの坂道の路面６０上に設置されている。本考案の実施形態に係る手摺ジョイント１は、坂道の路面６０の勾配に合わせて傾いている手摺５３の両端を支柱５１、５２で支持するために用いられる。図１（ｂ）に示すように、手摺ジョイント１は、左に曲がっている坂道の路面６０の道なりに合わせて曲がっている手摺５６を支柱５２に取り付けるためにも用いられる。
【００１３】
図１（ａ）（ｂ）において、例えば点線で囲んで示す部分５７，５８に用いられている手摺ジョイント１は、図２（ａ）（ｂ）に示すように、支柱５１に取り付けられている留めねじ２と、留めねじ２の先端に取り付けられ球状の外表面を有する支持体３と、支持体３と手摺５３の一端５３ａとの間に介在される手摺受け４と、を備えている。手摺受け４は、支持体３を挟持する把持部４ａと、嵌合するように嵌められる手摺５３の一端５３ａを内面に挟んで固定する筒状部４ｂとを備えている。筒状部４ｂには、筒状の手摺受け４の内側に、その直径を狭くして手摺５３の一端５３ａを挟んでより強固に固定するように、凸状に突出している突出部４ｃが設けられている。
【００１４】
図３に示すように、留めねじ２は先端にねじ山が切られており、ワッシャ２ａと支持体３に設けてある貫通孔を介して、支柱５１に取り付けられる。支持体３は、留めねじ２によって支柱５１に接するように取り付けられている。手摺受け４は、断面が半円状の２つの樋状部品６、７と、この２つの樋状部品６、７の縁同士を合わせた状態で、互いの樋状部品６、７を引き寄せて筒状にする連結具８と、で構成されている。２つの樋状部品６、７の各々の一端には、支持体３の球面に沿うように湾曲した接面を有する把持部４ａを有しており、他端の筒状部４ｂには手摺５３の外周を把持するように内側に凸状に突出している突出部４ｃを有している。連結具８は、円柱状のねじになっている。
【００１５】
図４（ａ）〜（ｃ）に示すように、２つの樋状部品６、７の距離を連結具８により矢印８ａ方向に狭めることによって、把持部４ａにより支持体３が挟持され、突出部４ｃにより手摺５３の外周が把持され固定される。把持部４ａは、支持体３を固定する強さで挟持するが、地震などによる地面の揺れによって把持部４ａが支持体３を把持する部分に無理な力が作用することを防ぐため、手摺受け４を方向自在に動かせる強さで挟持してもよい。
【００１６】
図５（ａ）〜（ｅ）に示すように、支持体３は、外表面に球面を有しており、支柱５１に取り付けられたときに無用の回転が生じないように、支柱５１の外周に沿う形状の取付突起３ａを有している。支持体３は、中空部分３ｂを有しており、留めねじ２を差し込むねじ孔３ｃを有している。グリップ力を高めるため、外表面にディンプル加工を施して、その表面に例えばゴルフボールのように多数のドット状の凹部を設け、又は多数の帯状の凸凹部を設けてもよい。
【００１７】
図６（ａ）〜（ｄ）に示すように、２つの樋状部品の一方の上側にある樋状部品６は、断面が下方が開放されている半円状の部品で、縁に沿って下方に突出した係合用突起６ａを有している。また、図６（ｂ）に明示するように、樋状部品６の内側（凹部を下側にして樋とした時の底の部分）には、把持部４ａ及び突出部４ｃの間に、連結具８用のねじ孔としてねじ受け部６ｂが設けられている。
【００１８】
図７（ａ）〜（ｄ）に示すように、２つの樋状部品の他方の下側にある樋状部品７は、断面が上方が開放されている半円状の部品で、縁の部分に、上側の樋状部品６の係合用突起６ａが嵌る切り欠き部７ａを有している。また、図７（ｂ）に明示するように、樋状部品７の内側（底の部分）には、把持部４ａ及び突出部４ｃの間、ねじ受け部６ｂと同一軸状に連結具８を通すように貫通している貫通孔７ｂが設けられている。貫通孔７ｂにはねじ山は設けられていない。
【００１９】
上側にある樋状部品６の係合用突起６ａを、下側にある樋状部品７の切り欠き部７ａに嵌めることにより、２つの樋状部品６、７が一体化されて筒状体の手摺受け４の形状が完成する。この状態で、連結具８を、貫通孔７ｂを介してねじ受け部６ｂにねじ込む（図３を参照）。連結具８の締め具合に応じて２つの樋状部品間の距離が狭まり、把持部４ａによって支持体３を挟持し、かつ、突出部４ｃによって手摺５３の一端を固定することができる。
【００２０】
当該構成の手摺ジョイント１を用いることにより、手摺の前記一端の部分に固定用のねじ穴を設ける必要がなくなり、手摺に固定用のねじ穴が不要となる。この結果、例えば、支柱の設置現場において支柱の間隔が短くなった場合に、手摺を切断して短くするだけで取り付け固定することができる。
【００２１】
なお、本考案は、上記実施形態の構成に限られず、考案の趣旨を変更しない範囲で種々の変形が可能である。例えば、２つの樋状部品６、７に設ける突出部４ｃは、内周全体に亘って凸状に突出するように設けてもよいし、ギザギザ状に突出するものを採用してもよい。また、突出部４は、筒状部４ｂの範囲内において軸方向に複数並べて設けてもよい。さらには、筒状部４ｂの内径を、手摺５３の外径と同一に設定し、突起部４ｃを省き、手摺５３を筒状部４ｂ全体で挟み持つ構成を採用してもよい。
【産業上の利用可能性】
【００２２】
本考案に係る手摺ジョイントは、路上に設ける柵だけでなく、建物内に設置される柵等、両端に設けた支柱間に手すりを取り付ける場合であって、特に、設置状況により支柱の間隔が予定値より短くなるおそれのある場合に特に有効に用いることができる。
【符号の説明】
【００２３】
１    手摺ジョイント
２    留めねじ
３    支持体
４    手摺受け
４ａ  把持部
４ｂ  筒状部
４ｃ  突出部
６    上蓋にある樋状部品
６ｂ  ねじ受け部
７    下側にある樋状部品
７ｂ  貫通孔
８    連結具
５１、５２  支柱
５３、５４、５５、５６  手摺
６０    坂道の路面
【図１】
0003189870.tif 000003
【図２】
0003189870.tif 000004
【図３】
0003189870.tif 000005
【図４】
0003189870.tif 000006
【図５】
0003189870.tif 000007
【図６】
0003189870.tif 000008
【図７】
0003189870.tif 000009